(57)【特許請求の範囲】
【請求項１】
金属板体を屈曲させてリブを所定の間隔で形成し、該リブの底面に所定の間隔でＣ型スリットを設けた土木建築用躯体コンクリートの立面を構成する型枠の堰板として用いる金属製型枠パネルにおいて、
前記Ｃ型スリットの幅寸法は、セパレーターを締付けた際にパネル内側面に接面してセパレーターを固定するセパレーター丸座金が挿通可能な幅寸法であり、
前記リブは、セパレーターを固定する際、リブの空隙を埋める又状スペーサーが嵌合可能な溝形状であることを特徴とする金属製型枠パネル。
【発明の詳細な説明】
【技術分野】
【０００１】
本発明は土木建築工事においてコンクリート型枠の堰板に使用される金属製型枠パネルに関する。
【背景技術】
【０００２】
近年、地球環境保護の観点から、木材を使用した合板製の型枠パネルに代わり、金属製型枠パネルが普及してきている中、例えば、特許文献１に記載の技術が提供されている。該文献１に記載の「捨て型枠パネル」は、従来の木合板製型枠に使われているセパレーターや締結具といった金具を金属製の型枠においても利用することができるように金属板に複数のリブを形成し、そのリブ幅が締結具のフランジ外径よりも幅狭に設定されるとともに、該リブの深さが木合板型枠パネルの厚みと同等に設定されている。これにより、フランジがリブ面に引っ掛かるので、従来の合板型枠用の金具が金属製型枠パネルにもそのまま利用することができる。
【先行技術文献】
【特許文献】
【０００３】
【特許文献１】特許第３５６０７６７号
【発明の概要】
【発明が解決しようとする課題】
【０００４】
しかしながら、この種の金属製型枠パネルを使用した従来技術は、従来の木合板製型枠パネル１’用の組立方法および金具部品をそのまま流用することに重点が置かれているために、木合板型枠パネル１’に設けられたセパレーター２用の挿通孔の内周面に接触してセパレーター２の空回りを防止するセパレーター２廻り止め用の突片２０３（図１０参照。）を、金属製型枠の組立にそのまま流用しようとすると、締結具３のフランジ３０１の外径よりリブ幅を狭くしているが故に、木合板型枠パネル１’用のセパレーター２の廻り止め用突片２０３が、金属製型枠パネル１”に設けられたリブの凹部内で遊んだ状態になってしまい（図１１参照。）、セパレーター２が空回りしないようにするという廻り止め突片２０３の効果を発揮できないでいた。よって、セパレーター２の一端の雄ネジ部２０１に締結具３を螺合する作業員と、セパレーター２のもう一端を把持して空回りを防止する作業員の計２人の作業員が必要であった。
【０００５】
また、セパレーターの丸座金２０２がセパレーター２用の挿通孔の外径よりも大きいために、金属製型枠パネル１”の外側からセパレーター２を挿通することはできず、セパレーター２の挿通及び固定作業が非常に面倒であった。
【０００６】
そこで、本願発明は、一人でも容易に設置できるコンクリート型枠用の金属製型枠パネルを提供することを課題とする。
【課題を解決するための手段】
【０００７】
上記の課題を解決するために、本発明は、次のように構成した。すなわち、本発明に係る請求項１に記載の金属製型枠パネルは、金属板体を屈曲させてリブを所定の間隔で形成し、該リブの底面に所定の間隔でＣ型スリットを設けた土木建築用躯体コンクリートの立面を構成する型枠の堰板として用いる金属製型枠パネルにおいて、前記Ｃ型スリットの幅寸法は、セパレーターを締付けた際にパネル内側面に接面してセパレーターを固定するセパレーター丸座金が挿通可能な幅寸法であり、前記リブは、セパレーターを固定する際、リブの空隙を埋める又状スペーサーが嵌合可能な溝形状であることを特徴としている。
【発明の効果】
【０００９】
本発明に係る金属製型枠パネルによれば、セパレーターの突片が又状スペーサーの又内側に接触して空回りを防止するので、対面側で把持するための作業員が不要になり、また、一対の金属製型枠パネルの一方の外側からセパレーターを挿通することができるので、一人でも組立てることが可能になる。これにより、従来の金属製型枠パネルより作業人員を半減することができ、工期の飛躍的な短縮化及び施工コストの削減を実現することができる。
【図面の簡単な説明】
【００１１】
【図１】本発明に係る金属製型枠パネルを用いたコンクリート型枠を示す斜視図である。
【図２】該金属製型枠パネルを示す断面図及び正面図である。
【図３】該金属製型枠パネルにセパレーターを固定する様子を示す斜視図である。
【図４】該金属製型枠パネルにセパレーターを固定した状態を示す平面視断面図である。
【図５】該金属製型枠パネルに六角座金を使用してセパレーターを固定する様子を示す斜視図である。
【図６】六角座金を示す斜視図である。
【図７】六角座金を使用してコンクリート型枠を組み立てる際のセパレーターを示す斜視図である。
【図８】該金属製型枠パネルに六角座金を使用してセパレーターを固定する様子を示す平面視断面図である。
【図９】コンクリート型枠を設置した状態を示す図である。
【図１０】従来の木製型枠パネルにセパレーターを固定した状態を示す平面視断面図である。
【図１１】従来の金属製型枠パネルにセパレーターを固定した状態を示す平面視断面図である。
【発明を実施するための形態】
【００１２】
以下、本発明の形態について、以下に示す実施例に基づき詳細に説明する。
【実施例１】
【００１３】
まず、本発明に係る金属製型枠パネル１を使用したコンクリート型枠の組立てについて、その斜視図である図１を用いて簡潔に説明する。捨てコンクリートα又は床部スラブコンクリート上に引かれた墨出しラインに合わせランナーβを設置し、コンクリート釘で固定する。そして、該ランナー上に一対の金属製型枠パネル１を向い合せに建て込み、締結具３と又状スペーサー４を用いてセパレーター２を金属製型枠パネル１に固設した後、金属製型枠パネル１の外側面に補強用の鋼管γを取り付けて、コンクリート型枠を組立てる。以下、図２乃至図４を用いて、該金属製型枠パネル１の実施例１を具体的に説明する。
【００１４】
図２（ａ）は、本発明の金属製型枠パネル１を示す断面図であり、図２（ｂ）は、その正面図である。該金属製型枠パネル１は、高耐食溶融めっき鋼板を加工成形したものであり、断面をコ字形にした上下方向のリブ１０１が一定の間隔で複数設けられている。また、各リブ１０１の凹底面には、一定の間隔でリブ１０１の凹底面の幅方向とほぼ同じ長さの直径を有する円形状のＣ型スリット１０２が複数形成されている。該円形状のＣ型スリット１０２に囲まれた部分を押圧すると、セパレーター２を挿通するための孔を開けることができる。セパレーター２を挿通しない箇所はそのまま閉じておけばよい。
【００１５】
図３は、リブ１０１に形成したＣ型スリット１０２部分を拡大して示した斜視図であり、セパレーター２及び締結具３を金属製型枠パネル１に固定する様子を示している。なお、該図３において、金属製型枠パネル１の奥側、すなわちセパレーター２の側がコンクリートを充填する内側であり、金属製型枠パネル１の手前側、すなわち締結具３の側が外側である。また、セパレーター２は、金属製の棒状体であって、その両端には締結具３と螺合するための雄ネジ部２０１、丸座金２０２、突片２０３が形成されている（一端のみを図示。）。締結具３は、金属製の棒状体であって、その金属製型枠パネル１の外側面と接面するように形成されたフランジ３０１の内側に、前記セパレーター２の雄ネジ部２０１と螺合するための雌ネジ部（図示せず。）が設けられている。
【００１６】
また、又状スペーサー４は、合成樹脂製ブロックの下端に又部が形成されるとともに、金属製型枠パネル１と接する面が、リブ１０１の底面部と同じ幅寸法或いは若干幅広で形成されている。このような幅寸法に又状スペーサー４を構成することにより、リブ１０１の底面部に接面した際に、又状スペーサー４の水平方向へのズレを防止することができる。なお、リブ１０１の溝形状と同じ形状で又状スペーサー４を形成すれば、リブ１０１に形状に沿って嵌合することができるので、より強固に又状スペーサー４を固定することができる。
【００１７】
セパレーター２及び締結具３を金属製型枠パネル１に固定するには、まず、セパレーター２のネジ部２０１に締結具３のフランジ３０１の内側の雌ネジ部を軽くねじ込み、前記ネジ部２０１と仮固定する。丸座金２０２より大きな外径のＣ型スリット１０２を押し込むことにより、金属製型枠パネル１にセパレーター２を挿通する孔が開けられるので、外側よりセパレーター２を挿入し、手前側の丸座金２０２が金属製型枠パネル１の該孔を通過したらすぐに又状スペーサー４を上側よりセパレーター２を挟み込むように差し込む。締結具３を回転させると突片２０３が又状スペーサー４の又内側面に接触し、セパレーター２の空回りが固定される。また、重力により該孔の下端にセパレーター２が落ち込んで接触するので、丸座金２０２の下部が金属製型枠パネル１に接面し、締結具３を回し続けると又状スペーサー４を挟み込んで、金属製型枠パネル１とセパレーター２の丸座金２０２が固定され、図４に示すように、セパレーター２が金属製型枠パネル１の面に対して垂直に固定される。
【００１８】
以上のように、Ｃ型スリット１０２を丸座金２０２よりも幅広に構成することにより、一方からセパレーター２を挿通することが可能となり、また、リブ１０１の底面を又状スペーサー４が嵌め込み可能な幅寸法に構成したことにより、セパレーター２と締結具３を螺合する際の空回りを防止することができる。よって、一人でも容易にコンクリート型枠を組立てることができる。
【実施例２】
【００１９】
図５は、六角座金５を用いて組立てた型枠の斜視図である。金属製型枠パネル１のリブ１０１の底面部には、前記実施例１と同様に、Ｃ型スリット１０２が形成されている。実施例２のコンクリート型枠は、該金属製型枠パネル１、図６に示す六角座金５及び図７に示すセパレーター２を用いて組立てられる。
【００２０】
図６に示すように、六角座金５のｗ部幅寸法は、例えば２０．８ｍｍ程度とされ、土木用や建築用などの用途に応じてネジ径の違うセパレーターが流通しているが、どちらの用途であっても、六角座金５のｗ部幅寸法は、作業工具の統一を考慮されて外径は同じ寸法のものが使用されている。したがって、土木用、建築用の異種のネジ径を持つセパレーターであっても、金属製型枠パネル１において使用することができる。金属製型枠パネル１のリブ１０１底面部の幅寸法は、該ｗ部幅寸法と同程度か若干幅狭に形成されており、六角座金５を嵌合することができる。
【００２１】
また、図７に示すセパレーター２には、前記六角座金５と金属製型枠パネル１を挟んで螺合するための雄ネジ部２０１と、螺合する際に金属製型枠パネル１の内側に接面して、六角座金５と金属製型枠パネル１を挟み込む丸座金２０２が形成されている。
【００２２】
次に、この金属製型枠パネル１、セパレーター２及び六角座金５を使用したコンクリート型枠の組立て方について、セパレーター２の固定方法を図８を用いて具体的に説明する。図８の（ａ）乃至（ｄ）は、その様子を示す平面視断面図である。まず、金属製型枠パネル１のＣ型スリット１０２を押圧して、セパレーター２の雄ネジ部２０１が挿通できる孔を開口させるとともに、その孔上に金属製型枠パネル１の外側から六角座金５を接面させる（図８（ａ））。次に、金属製型枠パネル１の内側から、セパレーター２の雄ネジ部２０１を前記孔及び六角座金５のネジ孔に挿通し（図８（ｂ））、セパレーター２を内側に引くように回しながら、セパレーター２を螺合させていく（図８（ｃ））。
【００２３】
これにより、外側の六角座金５は、リブ１０１の底面に固定されているので、セパレーター２が空回りすることなく、内側から一人で容易にセパレーター２を固定することができる（図８（ｄ））。なお、六角座金５を金属製型枠パネル１の外側、リブ１０１の底面に接着剤等で固着しておいてもよい。
【００２４】
図９に示すように、土地有効活用のため、狭小地、境界線、隣接構造物の影響で、作業スペース幅ｓが型枠の両側に確保されるべきのところ、近隣の壁面が迫っており十分な作業スペースが確保出来ない場合がある。このような場合、金属製型枠パネル１を捨てコンクリート１１上に設置したランナーβに建て込んだ後、作業スペースｓ側よりセパレーター２に六角座金５をあらかじめセットしたものを金属製型枠パネル１のＣ型スリット１０２を押し込んで開口させた孔に差し込み、ｔ側の六角座金５にねじ込み固定する。スペースｔが作業スペースとしては狭くても、金属製型枠パネルの外側（ｔ側）に六角座金５をセットすれば、内側からセパレーター２を回すことにより、容易にセパレーター２を固定することができる。
【００２５】
そして、作業スペースが十分にあるｓ側においては、通常通り鋼管を建て込みパイプサポート６等で支持し、型枠の通りの調整及びコンクリート打設時の型枠変形に対して支持する。また十分なスペースのないｔ側においてはアングル綱等を捨て材として使用し、ｔの空間にはコンクリート打設前に土砂１２を埋め戻しておいてもよく、最後にコンクリート１１を打設する。
【産業上の利用可能性】
【００２６】
本発明は、土木建築用だけでなくコンクリート構造物全般の型枠工事に利用することができる。
【符号の説明】
【００２７】
１      金属製型枠パネル
１’    木製型枠パネル
１”    従来の金属製型枠パネル
１０１  リブ
１０２  Ｃ型スリット
２      セパレーター
２０１  ネジ部
２０２  丸座金
２０３  突片
３      締結具
３０１  フランジ
４      又状スペーサー
５      六角座金
６      パイプサポート
１１    コンクリート
１２    土砂
α      捨てコンクリート
β      ランナー
γ      鋼管
Ａ      間隙
ｓ      作業スペース
ｔ      空間
【図１】
0005438394.tif 000002
【図２】
0005438394.tif 000003
【図３】
0005438394.tif 000004
【図４】
0005438394.tif 000005
【図５】
0005438394.tif 000006
【図６】
0005438394.tif 000007
【図７】
0005438394.tif 000008
【図８】
0005438394.tif 000009
【図９】
0005438394.tif 000010
【図１０】
0005438394.tif 000011
【図１１】
0005438394.tif 000012